(57)【要約】  【課題】衣服への貼着状態の保持性に優れた脇用汗取りパッドを提供する  【解決手段】汗を吸収するためのシート本体１０と衣服への粘着層３０とを備えた脇用汗取りパッドであって、折れ曲がりを容易にするための屈曲用ラインが、該シート本体の中央部を通る直線である基準線Ｇの両側に位置する第１領域Ｃａと第２領域Ｃｂで各々基準線Ｇから離れる側に凸形状をなす弧状の第１屈曲用ライン１３Ａ及び第２屈曲用ライン１３Ｂとして形成されていることを特徴とする脇用汗取りパッド。【選択図】図１
2014129641.tif 000002
【特許請求の範囲】
【請求項１】
汗を吸収するためのシート本体と衣服への付着のための粘着層とを備えた脇用汗取りパッ
ドであって、折れ曲がりを容易にするための屈曲用ラインが、該シート本体の中央部を通
る直線である基準線から離れる側に凸形状をなす弧状に形成されていることを特徴とする
脇用汗取りパッド。
【請求項２】
前記屈曲用ラインが、前記基準線の中央で該基準線に直交する直交線上の点を中心とする
大小２つの円弧で囲まれた弧状域内に設けられており、前記基準線からの最大離反距離が
１８ｍｍとなるように前記直交線上の点を中心として半径１１５ｍｍで描かれた外円弧と
、前記基準線からの最大離反距離が４ｍｍとなるように前記直交線上の点を中心として描
かれた半径２８０ｍｍの内円弧とに囲まれた弧状域内に設けられていることを特徴とする
請求項１に記載の脇用汗取りパッド。
【請求項３】
前記屈曲用ラインが、前記基準線の両側に位置する第１領域と第２領域で各々前記基準線
から離れる側に凸形状をなす第１屈曲用ライン及び第２屈曲用ラインとして形成されてい
ることを特徴とする請求項１に記載の脇用汗取りパッド。
【請求項４】
前記第１屈曲用ライン及び第２屈曲用ラインの各々が、前記基準線の中央で該基準線に直
交する直交線上の点を中心とする大小２つの円弧で囲まれた弧状域内に設けられており、
前記第１屈曲用ラインは、前記基準線からの最大離反距離が１８ｍｍとなるように前記第
２領域内における前記直交線上の点を中心として半径１１５ｍｍで描かれた第１外円弧と
、前記基準線からの最大離反距離が４ｍｍとなるように前記第２領域内における前記直交
線上の点を中心として描かれた半径２８０ｍｍの第１内円弧とに囲まれた第１弧状域内に
設けられ、前記第２屈曲用ラインは、前記基準線からの最大離反距離が１４ｍｍとなるよ
うに前記第１領域内における前記直交線上の点を中心とする半径１１５ｍｍの第２外円弧
と、前記基準線からの最大離反距離が４ｍｍとなるように前記第１領域内における前記直
交線上の点を中心とする半径２８０ｍｍの第２内円弧とに囲まれた第２弧状域内に設けら
れていることを特徴とする請求項３に記載の脇用汗取りパッド。
【発明の詳細な説明】
【技術分野】
【０００１】
本発明は、脇の下の汗を吸収させるために衣服の内側に貼り付けて使用する脇用汗取り
パッドに関する。
【背景技術】
【０００２】
脇用汗取りパッドは、汗吸収のためのシート本体を表側としてバックシートを積層し、
バックシートの裏側に粘着層を設けたものである。この脇用汗取りパッドは、粘着層で衣
服の袖ぐり線に沿うように折り曲げ、身頃側と袖側と跨るようにして、粘着層で貼り付け
て使用され、脇の下からの汗を吸収する。このような脇用汗取りパッドは、例えば、特許
文献１及び２に記載されている。
【０００３】
しかしながら、文献１に記載の脇用汗取りパッドは、肌触りの目的として改良されたも
ので、衣服への貼着状態の保持については配慮されていない。脇用汗取りパッドは、衣服
に貼り付けた状態を長時間保持する必要があるが、腕の動きに伴って貼り付け箇所で衣服
は様々な変形をするので、貼着状態が十分に保持できず、ずれ、よじれ、剥がれ等を生じ
ることがある。文献２に記載の脇用汗取りパッドは、粘着層を間隔をあけて配置すること
によりずれやよじれを防止しようとするものであるが、衣服への貼着状態の保持は十分と
は言えない。
【先行技術文献】
【特許文献】
【０００４】
【特許文献１】特開平８−２２６００１号公報
【特許文献２】特開２００７−６３７１７号公報
【発明の概要】
【発明が解決しようとする課題】
【０００５】
本発明は、このような従来技術の問題を解決し、衣服への貼着状態の保持性に優れた脇
用汗取りパッドを提供することを目的とする。
【課題を解決するための手段】
【０００６】
本発明の前記目的は、汗を吸収するためのシート本体と衣服への付着のための粘着層と
を備えた脇用汗取りパッドであって、折れ曲がりを容易にするための屈曲用ラインが、該
シート本体の中央部を通る直線である基準線から離れる側に凸形状をなす弧状に形成され
ていることを特徴とする脇用汗取りパッドにより達成される。
【０００７】
本発明に係る脇用汗取りパッドは、シート本体と粘着層とを備え、折れ曲がりを容易に
するための屈曲用ラインが、該シート本体の中央部を通る直線である基準線から離れる側
に凸形状をなす弧状に形成されているので、シート本体を外側にして中央部（通常は基準
線付近）を折り曲げて衣服の袖ぐり線沿う位置に置き、身頃側及び袖側に跨るようにして
貼り付けることができる。この衣服を着用した場合、腕等の身体の動作に伴う衣服の変形
は袖ぐり線付近に集中するが、その変形が屈曲用ラインに誘導され、該屈曲用ラインの屈
曲容易性によって吸収される。その結果、衣服への脇用汗取りパッドの貼着が安定したも
のとなり、貼着状態の優れた保持性が得られる。
【０００８】
前記屈曲用ラインは、前記基準線の中央で該基準線に直交する直交線上の点を中心とす
る大小２つの円弧で囲まれた弧状域内に設けられており、前記基準線からの最大離反距離
が１８ｍｍとなるように前記直交線上の点を中心として半径１１５ｍｍで描かれた外円弧
と、前記基準線からの最大離反距離が４ｍｍとなるように前記直交線上の点を中心として
描かれた半径２８０ｍｍの内円弧とに囲まれた弧状域内に設けられたものとすることがで
きる。この弧状域内に各屈曲用ラインを設けることにより、屈曲用ラインを袖ぐり線付近
での衣服の変形集中域に対してより確実に合わせることができ、衣服への貼着がより安定
したものとなり、貼着状態のより優れた保持性が得られる。
【０００９】
前記屈曲用ラインは、前記基準線の両側に位置する第１領域と第２領域で第１屈曲用ラ
イン及び第２屈曲用ラインとして形成することができ、この場合は、シート本体を外側に
して折り曲げ、身頃側及び袖側に跨るようにして貼り付けたときに、２本の屈曲用ライン
の間に袖ぐり線を位置させることができる。この衣服を着用した場合は、腕等の身体の動
作に伴う衣服の変形が袖ぐり線両側の屈曲用ラインに誘導され、該屈曲用ラインの屈曲容
易性によってよりよく吸収され、衣服への貼着がさらに安定したものになる。また、脇用
汗取りパッドを付けた衣服を着た状態で腕を動かしたときにパッドに作用する力が２本の
屈曲用ラインに分散され、しかも２本の屈曲用ラインが離れているので屈曲用ライン同士
が相対的に移動して変形を吸収することができる。これらにより、衣服への貼着状態のさ
らに優れた保持性が得られる。
【００１０】
前記脇用汗取りパッドは、前記第１屈曲用ライン及び第２屈曲用ラインの各々が、前記
基準線の中央で該基準線に直交する直交線上の点を中心とする大小２つの円弧で囲まれた
弧状域内に設けられており、前記第１屈曲用ラインは、前記基準線からの最大離反距離が
１８ｍｍとなるように前記第２領域内における前記直交線上の点を中心として半径１１５
ｍｍで描かれた第１外円弧と、前記基準線からの最大離反距離が４ｍｍとなるように前記
第２領域内における前記直交線上の点を中心として描かれた半径２８０ｍｍの第１内円弧
とに囲まれた第１弧状域内に設けられ、前記第２屈曲用ラインは、前記基準線からの最大
離反距離が１４ｍｍとなるように前記第１領域内における前記直交線上の点を中心とする
半径１１５ｍｍの第２外円弧と、前記基準線からの最大離反距離が４ｍｍとなるように前
記第１領域内における前記直交線上の点を中心とする半径２８０ｍｍの第２内円弧とに囲
まれた第２弧状域内に設けられたものとすることができる。これらの弧状域内に各屈曲用
ラインを設けることにより、２本の屈曲用ラインの間に袖ぐり線をより確実に位置させや
すくなる。また、屈曲用ラインを袖ぐり線付近での衣服の変形集中域に対してより確実に
合わせることができ、袖ぐり線へのなじみがより良好となる。さらに、装着状態で腕を動
かしたときの力の分散、及び、屈曲用ライン同士の相対移動による変形の吸収が十分に行
なわれ、衣服への貼着状態のより優れた保持性が得られる。
【図面の簡単な説明】
【００１１】
【図１】本発明に係る脇用汗取りパッドの一実施形態を示す平面図である。
【図２】図１のII−II線に沿う断面図であり、説明のため厚さ方向に拡大している。
【図３】図１に示した脇用汗取りパッドの使用状態の説明図である。
【図４】屈曲用ラインの種々の形態を例示する平面図である。
【図５】本発明に係る脇用汗取りパッドの他の実施形態を示す平面図である。
【図６】本発明に係る脇用汗取りパッドのさらに他の実施形態を示す平面図である。
【発明を実施するための形態】
【００１２】
以下、本発明の実施形態について添付図面を参照しつつ説明する。図面中の同一又は同
種の部分については、同じ番号を付して説明を省略することがある。
【００１３】
図１は、本発明に係る脇用汗取りパッド１の一実施形態の平面図、図２は図１のII−II
線に沿う断面図（説明のため厚さ方向に拡大して示す）である。この汗取りパッド１は、
体液を吸収するためのシート本体１０をバックシート２０の表側に積層し、裏側に衣服へ
の付着のための粘着層３０が設けられ、該粘着層を剥離シート４０が覆っている。シート
本体１０は、表面層１０１とその内側の吸収層１０２とからなっている。シート本体１０
の表面には多数のエンボス凹部１１が形成されている。
【００１４】
汗取りパッド１は、図の中央よりやや上方で左右にくびれ部１１１が設けられ、両方の
くびれ部を結ぶ直線が基準線Ｇとなっており、基準線Ｇの両側に屈曲用ライン１３Ａ，１
３Ｂが形成されている。基準線Ｇは、以下に説明する屈曲用ライン１３Ａ，１３Ｂの配置
の基準として想定される線である。屈曲用ライン１３Ａ，１３Ｂは、折り曲げを容易にす
るために設けられており、この例では、図２に断面を示すエンボス加工による凹入部とし
て形成されている。屈曲用ラインは、この他、シート本体１０の厚さ方向の一部を切断す
ることによって形成することもでき、連続線又は断続線とすることができる。断続線とす
る場合は、シート本体１０の厚さ全体を貫通してミシン目のように形成することもできる
。
【００１５】
以下、屈曲用ライン１３Ａ，１３Ｂの設定位置について説明する。シート本体１０にお
ける基準線の両側を、第１領域ＲＡと第２領域ＲＢとする。第１領域ＲＡは、装着時に衣
服の身ごろ側に位置する部分、第２領域ＲＢは袖側に位置する部分であり、発汗位置によ
く対応するように第１領域ＲＡは第２領域ＲＢより大きくされている。
【００１６】
屈曲用ライン１３Ａ，１３Ｂは、各々基準線Ｇから離れる側に凸形状をなす弧状に形成
され、第１屈曲用ライン１３Ａと基準線Ｇとの離反距離は、第２屈曲用ライン１３Ｂと基
準線Ｇとの離反距離よりも大きくされる。具体的には、第１屈曲用ライン１３Ａ及び第２
屈曲用ライン１３Ｂは、各々、基準線Ｇの中央で該基準線Ｇに直交する直交線Ｔ上の点を
中心とする大小２つの円弧で囲まれた弧状域内に設けられている。すなわち、第１屈曲用
ライン１３Ａは、基準線Ｇからの最大離反距離ＤＯａが１８ｍｍとなるように第２領域Ｒ
Ｂ内における直交線Ｔ上の点を中心として半径１１５ｍｍで描かれた第１外円弧Ｏａと、
基準線Ｇからの最大離反距離ＤＩａが４ｍｍとなるように第２領域ＲＢ内における直交線
Ｔ上の点を中心として描かれた半径２８０ｍｍの第１内円弧Ｉａとに囲まれた第１弧状域
Ｃａ内に設けられる。そして、第２屈曲用ライン１３Ｂは、基準線Ｇからの最大離反距離
ＤＯｂが１４ｍｍとなるように第１領域ＲＡ内における直交線Ｔ上の点を中心とする半径
１１５ｍｍの第２外円弧Ｏｂと、基準線Ｇからの最大離反距離ＤＩｂが４ｍｍとなるよう
に第１領域ＲＡ内における直交線Ｔ上の点を中心とする半径２８０ｍｍの第２内円弧Ｉｂ
とに囲まれた第２弧状域Ｃｂ内に設けられる。
【００１７】
図示の実施形態では、屈曲用ライン１３Ａ，１３Ｂは、以下の寸法で形成されることに
より第１弧状域Ｃａ及び第２弧状域Ｃｂ内に位置している。
第１屈曲用ライン１３Ａ
・基準線Ｇからの最大離反距離Ｄａ：１５ｍｍ
・円弧の半径：１０９ｍｍ
第２屈曲用ライン１３Ｂ
・基準線Ｇからの最大離反距離Ｄｂ：８ｍｍ
・円弧の半径：１６６ｍｍ
この結果、第１屈曲用ライン１３Ａ及び第２屈曲用ライン１３Ｂの各々は、基準線Ｇの
中央で該基準線Ｇに直交する直交線Ｔ上において、第１屈曲用ライン１３Ａと基準線Ｇと
の離反距離が、第２屈曲用ライン１３Ｂと基準線Ｇとの離反距離より、７ｍｍ大きくなっ
ている。
【００１８】
汗取りパッドの面積は衣服の脇部に装着できれば、特に限定されないが、４０〜２７０
ｃｍ２が好ましく、５５〜１９０ｃｍ２がより好ましく、７０〜１７０ｃｍ２がさらに好
ましい。第２領域ＲＢの面積は、１０ｃｍ2〜１２０ｃｍ2が好ましく、１５ｃｍ2〜９０
ｃｍ2がより好ましく、２０ｃｍ2〜８０ｃｍ2がさらに好ましい。第１領域ＲＡの面積は
３０ｃｍ2〜１５０ｃｍ2が好ましく、４０ｃｍ2〜１００ｃｍ2がより好ましく、５０ｃｍ
2〜９０ｃｍ2がさらに好ましい。
【００１９】
脇用汗取りパッドは、種々の層構成とすることができ、図示のもの以外に、バックシー
トを設けずシート本体の裏面に直接粘着層を設けたもの、図示の層の間に他の層を加えた
もの等とすることもでき、例えば、吸収層と表面層との間、及び、吸収層とバックシート
との間における一方又は双方に、消臭剤や香料を含む層を介在させてもよい。また、シー
ト本体を表面層と吸収層とで構成する以外に、吸収層のみで構成することもできる。シー
ト本体に用いる吸収層は、吸水性を有するものであれば特に制限はなく、一般に生理用ナ
プキン、おしめ、汗取りパットおよびおりものシートなどに用いられている、たとえば吸
水性パルプ、吸水性ポリマーなどの公知の吸収材や、織物、編物、不織布またはパルプ製
品などから構成される繊維構造物を用いることができる。なかでも、風合い（肌触り）が
よく、吸収性に優れ、かつ吸収層からの素材の脱落が少ない点から、天然繊維および合成
繊維からなる集積体（例えば不織布）を用いることが好ましい。天然繊維としては、コッ
トン、シルク、パルプ、羊毛、麻などがあげられる。このような天然繊維のなかでも、ア
レルギーなどの接触性皮膚炎が起こりにくく、かぶれにくく、かつ吸収性に優れる点から
、（タンパク質系成分でない）コットンやパルプなどのセルロース系繊維が好ましい。ま
た、合成繊維としては、ナイロン繊維、ポリエチレン繊維、ポリエステル繊維、ポリアミ
ド繊維、アクリル繊維、ポリビニルアルコール繊維、ポリプロピレン繊維、ポリエチレン
テレフタレート繊維、エチレン酢酸ビニル繊維、ウレタン繊維、アクリル繊維などがあげ
られる。また、レーヨン繊維、アセテート繊維、キュプラ等の半合成繊維、および各種繊
維の混紡品、混繊品を使用することもできる。なかでも、ドライ感、風合いおよびヒート
シール性の点から、エチレン酢酸ビニル繊維、ポリプロピレン繊維、ポリエチレン繊維、
ポリエステル繊維、ポリエチレンテレフタレート繊維などの合成繊維またはそれらの複合
繊維が好ましい。複合繊維としては、ポリエチレン／ポリエステル（ポリエチレンテレフ
タレートを含む）複合繊維、ポリエチレン／ポリプロピレン複合繊維、エチレン酢酸ビニ
ル／ポリプロピレン複合繊維などがあげられる。これらは、１種単独で使用してもよく、
２種以上を組み合わせて使用してもよい。２種以上の組み合わせの例としては、セルロー
ス系繊維と複合繊維の組み合わせなどがあげられ、その配合割合は、例えば４：６〜８：
２とすることができる。
【００２０】
吸収層を構成する前記集積体の目付けは、保水量と皮膚への違和感とのバランスの点か
ら、２０〜１５０ｇ／ｍ２に設定するのが好ましく、より好ましくは４０〜１２０ｇ／ｍ
２、さらに好ましくは５０〜１００ｇ／ｍ２である。吸収層の厚みとしては、上記機能を
奏するよう０．５〜４０ｍｍとされるのが望ましい。
【００２１】
また、表面層は、肌にやわらかく接触し、かつ柔軟な吸収層を保護する役割を果たす。
このような表面層としては、織物、編物、不織布またはパルプ製品などから構成されるシ
ート状またはフィルム状の繊維構造物をあげることができる。なかでも、風合い（肌触り
）や皮膚への刺激性、吸収性の点から不織布が好ましい。かかる繊維構造物を構成する繊
維としては、天然繊維および合成繊維があげられ、これらを単独で、または組み合わせて
所望の性質を有する繊維構造物として使用することができる。天然繊維および合成繊維と
しては、前記吸収層の原料として用いるものと同一の繊維があげられる。
【００２２】
不織布は、湿式抄紙法、乾式抄紙法、スパンボンド法、メルトブロー法、ラテックス樹
脂ボンド法、溶剤ボンド法、スティッチボンド法、ニードルパンチ法、スパンレース法、
サーマルボンド法、エアースルー法、エアレイド法などの方法により製造することができ
る。なかでもスパンレース法、サーマルボンド法、エアースルー法、エアレイド法、ニー
ドルパンチ法、スパンボンド法などの方法が好ましく、これらの方法では風合いがよくか
つ、接着剤、溶剤を用いないため、肌への安全性を高くすることができる。
【００２３】
また、表面層に用いられる前記繊維構造物の目付けは、体液透過性と皮膚への違和感の
軽減とのバランスの点から、１０〜６０ｇ／ｍ２に設定することが好ましく、より好まし
くは１０〜５０ｇ／ｍ２、さらに好ましくは１０〜３０ｇ／ｍ２である。表面層の厚みと
しては、上記機能を奏するよう０．１〜２０ｍｍとされるのが望ましい。
【００２４】
表面層と吸収層とを貼り合わせる方法は特に限定されないが、水溶性の接着剤（たとえ
ば、アクリル系水溶性接着剤）や非水溶性接着剤（たとえば、ゴム系ホットメルト、オレ
フィン系ホットメルト）などの接着剤により接着することができる。
【００２５】
また、バックシートは、吸収層に吸収された汗の外部への流出を防止するものである。
バックシートの材質は、ポリエチレンを用いることが好ましいが、必要に応じて適当な材
質、たとえば、ポリエステル、ポリビニルアルコール、ポリプロピレン、ナイロン、セロ
ファン、ビニロン、塩化ビニルなどを用いることもできる。また、これらの材質に炭酸カ
ルシウム粉末などの無機物を混練した後に２軸延伸すると、汗などの体液は透過させずに
水蒸気（空気）は透過させることができるので、ムレなどによる不快感を軽減させること
ができ、また、炭酸カルシウムなどの無機物を用いない場合において１軸延伸すると、多
量の汗をかいた場合でも衣類への汗じみを確実に防ぐことができるので、それぞれ、使用
状況に応じて使い分けることが好ましい。
【００２６】
また、バックシートの目付けは、吸収層に吸収された汗の外部への流出を防止すること
、及び、脇用汗取りパッド全体の柔軟性を損なわないことのバランスの点から、２〜１０
ｇ／ｍ２に設定することが好まく、より好ましくは４〜１０ｇ／ｍ２、さらに好ましくは
５〜１０ｇ／ｍ２である。
【００２７】
さらに、バックシートの厚みとしては、吸収した体液を透過させず、かつ装着時に違和
感を覚えにくいという点から、１０〜７０μｍに設定することが好ましい。
【００２８】
粘着層の材質は、衣服などに貼ることができるものであれば特に限定されないが、たと
えば、水溶性の接着剤（例えばアクリル系水溶性接着剤）や非水溶性接着剤（例えばゴム
系ホットメルト、オレフィン系ホットメルト）などの接着剤があげられる。なかでも、そ
の他の粘着剤に比べて衣服に対する接着力に優れる点から非水溶性接着剤が好ましく、ゴ
ム系ホットメルトがより好ましい。ゴム系ホットメルトを使用すると、接着部位になじみ
やすいので、衣服の伸びを拘束することがない(突っ張り感を軽減できる)。
【００２９】
剥離シートは、粘着層に対し剥離可能に付着するものとされ、プラスチックフィルム、
繊維製シート、紙等に剥離剤と塗布したものとされ、剥離剤側を粘着層に貼着される。
【００３０】
図１及び図２に示した汗取りパッド１は、主として袖付き衣服に貼り付けて使用される
。使用する際は、汗取りパッド１から剥離シート４０を剥離し、中央部（通常は基準線付
近）で折り曲げ、図３に示すように、屈曲用ライン１３Ａ，１３Ｂを衣服の裏側の袖ぐり
線Ｔ１に沿わせて、粘着層３０により衣服の脇部に貼り付ける。このとき、第１領域ＲＡ
を身頃Ｔ２側、第２領域ＲＢを袖Ｔ３側に位置させる。第１領域ＲＡは、第２領域ＲＢよ
りも寸法が大きくなっているので、このように位置決めすることにより発汗位置に適切に
接近させることができる。この衣服を着用した場合、腕等の身体の動作に伴う衣服の変形
は袖ぐり線Ｔ１付近に集中するが、その変形が屈曲用ライン１３Ａ，１３Ｂに誘導され、
該屈曲用ラインの屈曲容易性によって吸収され、衣服への貼着状態が安定する。また、脇
用汗取りパッドを付けた衣服を着た状態で腕を動かしたときにパッドに作用する力が２本
の屈曲用ライン１３Ａ，１３Ｂに分散され、しかも２本の屈曲用ラインが離れているので
屈曲用ライン同士が相対的に移動して変形を吸収することができる。したがって、衣服へ
の貼着状態の優れた保持性が得られる。
【００３１】
屈曲用ライン１３Ａ，１３Ｂは、上記効果が得られる種々の形態とすることができる。
図４は、屈曲用ライン１３Ａ，１３Ｂの形態を例示するものであり、(a)は１本の屈曲用
ラインの位置で曲率が異なるもの（端部寄りで曲率半径が小さくなっている）、(b)は折
れ曲がった直線により形成されているものである。また、(c), (d)のように全体として基
準線Ｇから離れる側に凸形状をなす弧状であれば小さな凹凸や蛇行を含むものであっても
よい。さらに、(e)のように断続的に延びる線としてもよいし、(f)のように点を並べるこ
とによって形成してもよい。
【００３２】
また、屈曲用ライン１３Ａ，１３Ｂに他の屈曲用ラインを加えてもよく、例えば、図１
の例において、基準線Ｇの位置にも屈曲用ラインを設けてもよい。
【００３３】
図５及び図６は、図１に示したのと同様のシート本体１０における片方の領域にのみ屈
曲用ラインを設けた実施形態を示しており、図５の例では第１領域ＲＡに屈曲用ライン１
３Ａを設けており、図６の例では第２領域ＲＢに屈曲用ライン１３Ｂを設けている。図示
の例のように、身頃側に装着する第１領域１０Ａ、袖側に装着する第２領域１０Ｂが相互
に区別された形状の場合は、図１の例について述べた第１弧状域Ｃａ及び第２弧状域Ｃｂ
の範囲に、各々屈曲用ライン１３Ａ，１３Ｂが形成されるのが望ましい。
【００３４】
一方、汗取りパッドは、第１領域ＲＡ及び第２領域ＲＢを同じ形状とするなど、身頃側
と袖側の区別のない形状とすることもできる。この場合は、屈曲用ラインを第１弧状域と
して示した範囲に設けるのが望ましい。
【００３５】
本発明は、上記実施形態及び図示例に限定されるものではなく、種々の変形が可能であ
る。エンボス凹部１１は、種々の形状とすることができ、省略することも可能である。脇
用汗取りパッドの層構成は図示のもの以外に、前述の層の間に他の層を加えたもの、シー
ト本体の裏面に直接粘着層を設けたもの等とすることもできる。各図示例についての説明
及び変更態様は、他の図示例に対しても適用することができる。
【００３６】
［性能試験］
脇用汗取りパッドに設けた屈曲用ラインと、衣服への貼着状態の保持性との関係を試験
した。
(1) 試験に使用した脇用汗取りパッドの仕様は以下の通りである。
(i) 外形：図１に示した形状であり、基準線Ｔの方向の寸法が１２０ｍｍ、これに垂直な
方向の寸法が１１５ｍｍである。
(ii) 層構成
・シート本体の表面層：ポリオレフィン、ポリエステル系繊維不織布；  厚さ０．５ｍｍ
・シート本体の吸収層：パルプ、ポリオレフィン、ポリエステル系繊維不織布；  厚さ０
．８ｍｍ
・バックシート：ポリエチレン製シート；  厚さ０．０５ｍｍ
・シート本体には、図１に示した形状及び配置で熱圧によりエンボス凹部を設けた。
なお、上記各層の厚さは、株式会社尾崎製作所製PEACOCKダイヤルゲージ「DG-205」を用
いて７ｇ／ｃｍ2荷重下において測定した。
(iii) 屈曲用ライン
・屈曲用ライン付き脇用汗取りパッド（実施例）
図１に示した実施形態における屈曲用ライン１３Ａ，１３Ｂと同じ位置及び形状で屈曲
用ラインを熱圧によるエンボス加工で形成した。
・屈曲用ラインなしの脇用汗取りパッド（比較例）
屈曲用ラインを形成せず、他の仕様は上記屈曲用ライン付き脇用汗取りパッドと同じと
した。
【００３７】
(2) 試験方法
朝（午前９時）に袖付きブラウスを着用の際、左右脇部に上記実施例及び比較例の脇用
汗取りパッドを各々貼り、日中通常の活動を行った後、夕刻（午後５時）に、上記実施例
及び比較例の脇用汗取りパッドのブラウスへの貼着状態、ならびにパッドの折れまたはよ
れ具合を評価した。評価は不織布の風合い評価に熟練した４人の被験者で行なった。
(3) 試験結果
上記試験の結果、比較例の脇用汗取りパッドはブラウスへの貼着状態が保持されず、一
部ブラウスからの剥がれが認められた。また、比較例の脇用汗取りパッドの第１領域第２
領域には折れやよれが認められた。一方で、実施例の脇用汗取りパッドは、全ての被験者
においてブラウスへの貼着状態が保持され、ブラウスからの剥がれは認められなかった。
また、実施例の脇用汗取りパッドの第１領域第２領域には目立った折れやよれは認められ
なかった。
【００３８】
この試験結果は、実施例の脇用汗取りパッドが腕等の身体の動作に伴う衣服の変形を屈
曲用ラインに吸収し、その結果、実施例の脇用汗取パッドが衣服への貼着状態の保持性に
おいて優位であることを明らかにしている。
【符号の説明】
【００３９】
１      脇用汗取りパッド
１０    シート本体
３０    粘着層
１３Ａ  第１屈曲用ライン
１３Ｂ  第２屈曲用ライン
ＲＡ    第１領域
ＲＢ    第２領域
Ｇ      基準線
Ｔ      直交線
Ｃａ    第１弧状域
Ｃｂ    第２弧状域
【図１】
2014129641.tif 000003
【図２】
2014129641.tif 000004
【図３】
2014129641.tif 000005
【図４】
2014129641.tif 000006
【図５】
2014129641.tif 000007
【図６】
2014129641.tif 000008
【手続補正書】
【提出日】平成26年5月7日(2014.5.7)
【手続補正１】
【補正対象書類名】特許請求の範囲
【補正対象項目名】全文
【補正方法】変更
【補正の内容】
【特許請求の範囲】
【請求項１】
汗を吸収するためのシート本体と、衣服への付着のための粘着層と、を備えた脇用汗取りパッドであって、
折れ曲がりを容易にするための屈曲用ラインが、該シート本体の中央部を通る直線である基準線から離れる側に凸形状をなす弧状に形成されており、
前記粘着層は、前記基準線と前記屈曲用ラインとの間に設けられていないことを特徴とする脇用汗取りパッド。
【請求項２】
前記屈曲用ラインが、前記基準線の中央で該基準線に直交する直交線上の点を中心とする大小２つの円弧で囲まれた弧状域内に設けられており、前記基準線からの最大離反距離が１８ｍｍとなるように前記直交線上の点を中心として半径１１５ｍｍで描かれた外円弧と、前記基準線からの最大離反距離が４ｍｍとなるように前記直交線上の点を中心として描かれた半径２８０ｍｍの内円弧とに囲まれた弧状域内に設けられていることを特徴とする請求項１に記載の脇用汗取りパッド。
【請求項３】
前記屈曲用ラインが、前記基準線の両側に位置する第１領域と第２領域で各々前記基準線から離れる側に凸形状をなす第１屈曲用ライン及び第２屈曲用ラインとして形成されていることを特徴とする請求項１に記載の脇用汗取りパッド。
【請求項４】
前記第１屈曲用ライン及び第２屈曲用ラインの各々が、前記基準線の中央で該基準線に直交する直交線上の点を中心とする大小２つの円弧で囲まれた弧状域内に設けられており、前記第１屈曲用ラインは、前記基準線からの最大離反距離が１８ｍｍとなるように前記第２領域内における前記直交線上の点を中心として半径１１５ｍｍで描かれた第１外円弧と、前記基準線からの最大離反距離が４ｍｍとなるように前記第２領域内における前記直交線上の点を中心として描かれた半径２８０ｍｍの第１内円弧とに囲まれた第１弧状域内に設けられ、前記第２屈曲用ラインは、前記基準線からの最大離反距離が１４ｍｍとなるように前記第１領域内における前記直交線上の点を中心とする半径１１５ｍｍの第２外円弧と、前記基準線からの最大離反距離が４ｍｍとなるように前記第１領域内における前記直交線上の点を中心とする半径２８０ｍｍの第２内円弧とに囲まれた第２弧状域内に設けられていることを特徴とする請求項３に記載の脇用汗取りパッド。